(57)【要約】【課題】  温度変化のある環境下でホログラム記録媒体を使用した場合でも、正確に情報の記録再生ができ、信頼性の高いホログラム記録媒体を提供する。【解決手段】  表面に凹部を有する第１基板と、第１基板の凹部に形成された情報記録層と、情報記録層上に形成された第２基板とを備え、第２基板表面の面積が第１基板の凹部により第１基板の表面に画成される開口部の面積より小さいことを特徴とするホログラム記録媒体を提供することにより、上記課題を解決する。【選択図】図２
2007163560.tif 000002
【特許請求の範囲】
【請求項１】
ホログラム記録媒体であって、
表面に凹部を有する第１基板と、
第１基板の凹部に形成された情報記録層と、
上記情報記録層上に形成された第２基板とを備え、
第２基板表面の面積が第１基板の凹部により第１基板の上記表面に画成される開口部の面積より小さいことを特徴とするホログラム記録媒体。
【請求項２】
第１基板と第２基板とが接触していないことを特徴とする請求項１に記載のホログラム記録媒体。
【請求項３】
第２基板表面の上記面積が少なくとも上記情報記録層の記録領域を覆う面積を有することを特徴とする請求項１または２に記載のホログラム記録媒体。
【請求項４】
さらに、少なくとも第１基板と第２基板との間の隙間を覆う封止フィルムを備える請求項１〜３のいずれか一項に記載のホログラム記録媒体。
【請求項５】
上記封止フィルムが、第１基板と第２基板との間の隙間及び第２基板を覆う封止フィルムであることを特徴とする請求項４に記載のホログラム記録媒体。
【請求項６】
さらに、第１基板の凹部を画成する側壁と情報記録層との間に応力吸収層を備える請求項１〜５のいずれか一項に記載のホログラム記録媒体。
【請求項７】
第１基板の凹部を画成する側壁と情報記録層とが接触していないことを特徴とする請求項１〜５のいずれか一項に記載のホログラム記録媒体。
【請求項８】
上記情報記録層のベース材料がポリマー樹脂であることを特徴とする特徴とする請求項１〜７のいずれか一項に記載のホログラム記録媒体。
【発明の詳細な説明】
【技術分野】
【０００１】
本発明はホログラム記録媒体に関する。
【背景技術】
【０００２】
テレビ放送のハイビジョン化や地上波デジタル化に伴い、アーカイブ記録媒体として、高記憶容量の記録メディアが求められている。そのような要望に応えるべく種々の記録媒体が提案されているが、近年、特に高記録容量、高転送レート及びランダムアクセス可能という特徴を有するホログラム記録媒体が注目されている。
【０００３】
ホログラム記録媒体は、一般に、情報記録層と、その両面に設けられた基板とからなり、情報記録層は２つの基板に挟み込まれて保持されている（例えば、特許文献１参照）。基板としては、透明基板以外に、その片面側に光反射層または光反射防止層を設けた基材も存在する。ホログラム記録媒体では、従来の光ディスクとは異なり、２つの光（記録光と参照光）を情報記録層に照射してその厚み方向に記録光と参照光の干渉パターンを形成することにより情報が記録される。そして、例えば、記録光と参照光との間の角度を変化させることにより、干渉パターンを変化させることができるので、所定の領域に異なる干渉パターンを重ねて記録することができ、高密度記録が可能となる。また、記録された情報（干渉パターン）は参照光を角度を変えて照射することにより、参照光の角度に対応した干渉パターンが検出され情報再生が行われる。
【０００４】
ホログラム記録媒体の情報記録層としては、近年、ベース材料にポリマー樹脂を用いることが主流となっている。しかしながら、これらの材料は外部環境の影響を受けやすい。例えば、情報記録層が大気中の湿気に曝されるとポリマー樹脂の特性が劣化する。このポリマー樹脂の吸湿問題を解決するために、情報記録層の開口部をシールする方法が提案されている（例えば、特許文献２参照）。特許文献２で提案されているホログラム記録媒体の概略断面図を図１に示す。特許文献２のホログラム記録媒体では、図１に示すように、情報記録層１３と、その上下面に設けられた基板１１，１２と情報記録層１３の側部（開口部）をシールするためのシール部材１４とから構成されている。
【０００５】
また、従来、耐熱性に優れたホログラムを提供するために、情報記録層の一方の基材を１００μｍ以下の厚さを有する高分子フィルムで形成したホログラムが提案されている（例えば、特許文献３参照）。
【０００６】
【特許文献１】特開２００５−１７５８９号公報
【特許文献２】特表２００４−５２４５８３号公報
【特許文献３】特開２０００−９９３８号公報
【発明の開示】
【発明が解決しようとする課題】
【０００７】
上述のように、ホログラム記録媒体は外部環境の変化の影響を受けやすい。情報記録層（ポリマー樹脂）と基板やシール部材との間で熱膨張収縮係数（ＣＴＥ：Ｃｏｅｆｆｉｃｉｅｎｔ  ｏｆ  Ｔｈｅｒｍａｌ  Ｅｘｐａｎｓｉｏｎ）が大きく異なるホログラム記録媒体、特に、情報記録層（ポリマー樹脂）のＣＴＥが基板やシール部材のＣＴＥより大きいホログラム記録媒体を、温度変化の大きな環境下で使用すると、そのＣＴＥの差により情報記録層に応力歪が生じる。例えば、図１に示すように、情報記録層１３の全ての面を基板１１，１２及びシール部材１４で囲いこむような構造にした場合には、情報記録層１３の熱膨張または熱収縮に伴う変形が基板１１，１２及びシール部材１４で抑制されるので、情報記録層１３にかかる応力歪が一層大きくなるおそれがある。情報記録層に応力歪が生じると、記録した情報イメージ（干渉パターン）にも変化が生じ、正確に情報を再生することが困難になり、読み取りエラーが増大する。本発明者らの知るところでは、今のところ、この熱膨張収縮の問題に対する効果的な解決手段は提案されていない。
【０００８】
本発明は上記課題を解決するためになされたものであり、本発明の目的は、外部環境の変化、特に温度変化がある環境下でホログラム記録媒体を使用した場合でも、正確に情報の記録再生ができる信頼性の高いホログラム記録媒体を提供することである。
【課題を解決するための手段】
【０００９】
本発明の態様に従えば、ホログラム記録媒体であって、表面に凹部を有する第１基板と、第１基板の凹部に形成された情報記録層と、上記情報記録層上に形成された第２基板とを備え、第２基板表面の面積が第１基板の凹部により第１基板の上記表面に画成される開口部の面積より小さいことを特徴とするホログラム記録媒体が提供される。
【００１０】
本発明のホログラム記録媒体では、第１基板の凹部内に情報記録層が形成されているので、外部環境に温度変化があると、情報記録層の層方向への熱膨張または熱収縮は第１基板の凹部の側壁により抑制される。その結果、情報記録層はその厚さ方向にのみ熱膨張または熱収縮する。また、本発明のホログラム記録媒体では、情報記録層上に設けられた第２基板の表面の面積が、第１基板の凹部により第１基板の表面に画成された開口部の面積より小さいので、情報記録層の第２基板側は開放された状態となっている。それゆえ、外部環境に温度変化が生じても、情報記録層は第１及び第２基板から応力を受けることなく、その厚さ方向に熱膨張または熱収縮する。この際、情報記録層上には第２基板が設けられているので、情報記録層の表面は、第２基板によりその平行度が保たれた状態で、第２基板とともに情報記録層の厚さ方向に移動する。すなわち、本発明のホログラム記録媒体では、使用環境に温度変化が生じても、情報記録層は撓むことなく、情報記録層は厚さ方向に熱膨張または熱収縮するので、情報記録層に応力歪が生じ難くなる。それゆえ、本発明のホログラム記録媒体では、使用環境に温度変化が生じても、正確に情報の記録再生を行うことができる。
【００１１】
本発明のホログラム記録媒体では、第１基板と第２基板とが接触していないことが好ましい。第１基板と第２基板とを非接触にすることにより、温度変化時における情報記録層表面の厚さ方向の移動（熱膨張または熱収縮）をよりスムーズにすることができる。
【００１２】
なお、本発明のホログラム記録媒体では、情報記録層上に形成された第２基板の表面の面積が、第１基板の凹部により第１基板の表面に画成された開口部の面積より小さいので、第１基板と第２基板との間には隙間が画成される。隙間の幅は、基板及び情報記録層に用いる材料に応じて適宜設定可能であるが、温度変化時における第１基板、第２基板及び情報記録層の熱膨張または熱収縮の影響等を考慮して、温度変化時にも第１基板と第２基板とが接触しないような幅にすることが好ましい。例えば、基板を光ディスク用透明熱可塑性樹脂で形成し、情報記録層を感光性重合体で形成した場合には、０．５〜１．０ｍｍ程度にすることが好ましい。
【００１３】
本発明のホログラム記録媒体では、第２基板表面の上記面積が少なくとも上記情報記録層の記録領域を覆う面積を有することが好ましい。
【００１４】
本発明のホログラム記録媒体では、さらに、少なくとも第１基板と第２基板との間の隙間を覆う封止フィルムを備えることが好ましい。なお、ホログラム記録媒体の量産性等を考慮した場合には、上記封止フィルムが、第１基板と第２基板との間の隙間及び第２基板を覆う封止フィルムであることが好ましい。
【００１５】
第１基板と第２基板との間に隙間を覆うように封止フィルムを設けた場合には、情報記録層を大気から確実に遮断することができるので、上述したような吸湿問題は発生しない。また、封止フィルムはフィルム状部材であるので、温度変化時の情報記録層表面の厚さ方向の移動を妨げることはない。また、そのような封止フィルムは、情報記録層の厚さ方向への曲げに対してある程度の強度を有するので、温度変化時に情報記録層表面が厚さ方向に移動しても、封止フィルムが破れたりすることはない。すなわち、第１基板と第２基板との間の隙間を封止フィルムで覆うことにより、温度変化時の情報記録層表面の厚さ方向の移動を妨げることなく、且つ、情報記録層を大気から遮断することができる。
【００１６】
本発明のホログラム記録媒体では、さらに、第１基板の凹部を画成する側壁と情報記録層との間に応力吸収層を備えることが好ましい。ホログラム記録媒体をこのような構造にすることにより、情報記録層の層方向にかかる応力が応力吸収層により緩和・吸収されるので、情報記録層と第１基板との熱膨張収縮係数の差により生じる応力歪の影響をより一層抑制することができる。
【００１７】
また、本発明のホログラム記録媒体では、第１基板の凹部を画成する側壁と情報記録層とが接触していないことが好ましい。なお、ここで言う「接触していない」とは、第１基板の凹部を画成する側壁と情報記録層とが直接的にも間接的にも接触していないことをいう。それゆえ、上述した応力吸収層を介して第１基板の凹部を画成する側壁と情報記録層とが間接的に接触することは含まない。ホログラム記録媒体をこのような構造にすることにより、情報記録層は、その層方向にも開放された状態となるので、情報記録層と第１基板との熱膨張収縮係数の差により生じる応力歪の影響をほとんどなくすことができる。
【００１８】
本発明のホログラム記録媒体では、上記情報記録層のベース材料がポリマー樹脂であることが好ましい。
【発明の効果】
【００１９】
本発明のホログラム記録媒体によれば、第１基板の凹部に情報記録層を形成し、第１基板の凹部により第１基板表面に画成される開口部の面積より小さい面積の第２基板を情報記録層上に形成しているので、情報記録層の第２基板側は開放状態となる。それゆえ、外部環境の温度変化に応じて情報記録層が熱膨張または熱収縮しても、情報記録層の表面はその厚さ方向に自由に移動可能であるので、情報記録層の応力歪を抑制することができる。
【００２０】
また、本発明のホログラム記録媒体では、情報記録層上には第２基板が設けられているので、外部環境に温度変化が生じても、情報記録層はその厚さ方向に撓むことなく情報記録層表面の平行度が保たれた状態で熱膨張または熱収縮する。それゆえ、本発明のホログラム記録媒体では、外部環境に温度変化が生じても、正確に情報の記録再生を行うことができ、信頼性の高いホログラム記録媒体を提供することができる。
【発明を実施するための最良の形態】
【００２１】
以下に、本発明のホログラム記録媒体の実施例を図面を参照しながら、具体的に説明するが、本発明はこれに限定されない。
【実施例１】
【００２２】
実施例１のホログラム記録媒体の概略構成を図２に示した。図２（ａ）は、ホログラム記録媒体の斜視図であり、図２（ｂ）は、図２（ａ）中のＡ−Ａ’断面図である。この例のホログラム記録媒体２０は、図２に示すように、表面に凹部２１ａが形成されたベース基板２１（第１基板）と、ベース基板２１の凹部２１ａに形成されたホログラム記録層２３（情報記録層）と、ホログラム記録層２３上に形成された蓋基板２２（第２基板）と、封止フィルム２４とから構成される。また、この例のホログラム記録媒体２０では、図２（ｂ）に示すように、ベース基板２１表面の上面２１ｂの位置と、蓋基板２２の上面とが面一となるように形成した。なお、この例のホログラム記録媒体では、必要に応じて、ベース基板２１及び蓋基板２２のいずれかに反射膜を形成しても良いし、あるいは、ベース基板２１及び蓋基板２２の両方に反射防止膜を形成しても良い。反射膜及び反射防止膜の形成位置は任意であり、用途等に応じて適宜変更し得る。また、反射膜及び反射防止膜は基板の全面に渡って形成しても良いし、一部に形成しても良い。
【００２３】
ベース基板２１は、図２（ａ）及び（ｂ）に示すように、四角形状の板状部材であり、光ディスク用熱可塑性樹脂の一つである非晶性オレフィン系樹脂で形成した。ベース基板２１の寸法は、５０ｍｍ×４０ｍｍ×３．５ｍｍとした。また、ベース基板２１の表面の中央部には、凹部２１ａを形成した。この例では、凹部２１ａによりベース基板２１の表面に画成される開口部の形状は四角形とし、その寸法は３４ｍｍ×２４ｍｍとした。また、凹部２１ａの深さは２．５ｍｍとした。
【００２４】
ホログラム記録層２３は、感光性重合体で形成し、厚さは１．５ｍｍとした。なお、この例では、ホログラム記録層２３の外縁部から５ｍｍ内部に入った位置までのエリアを除くエリアをホログラム記録層２３の記録エリアとした。
【００２５】
蓋基板２２は、四角形状の板状部材であり、ベース基板２１と同様に、光ディスク用熱可塑性樹脂の一つである非晶性オレフィン系樹脂で形成した。蓋基板２２の寸法は、３２ｍｍ×２２ｍｍ×１ｍｍとした。すなわち、蓋基板２２の表面の面積を、ベース基板２１の凹部２１ａによりベース基板２１の表面に画成される開口部の面積より小さくした。それゆえ、この例のホログラム記録媒体２０では、図２に示すように、蓋基板２２の側面とベース基板２１の凹部２１ａを画成する側壁との間には隙間２５が形成されており、ベース基板２１と蓋基板２２とが非接触の状態となっている。また、この例では蓋基板２２がホログラム記録層２３の記録エリアを覆うような位置に取り付けた。
【００２６】
封止フィルム２４は、ベース材料が薄肉プラスチックフィルムである材料（具体的には、アルミを蒸着したポリエチレンフィルム）を用いて形成した。また、この例では、図２（ａ）に示すように、中央に開口部を有する封止フィルム２４を用い、蓋基板２２上面の外端部付近の領域からベース基板２１の上面２１ｂに渡る領域を覆うように封止フィルム２４をベース基板２１及び蓋基板２２上に取り付けて隙間２５を封止した。
【００２７】
この例のホログラム記録媒体２０は、次のようにして作製した。まず、凹部２１ａが表面に形成されたベース基板２１を、射出成形法により作製した。次いで、ベース基板２１の凹部２１ａ内に感光性重合体を流し込んだ。次いで、凹部２１ａ内の樹脂上に蓋基板２２を載置し、その状態で樹脂を固化してホログラム記録層２３を形成した。なお、樹脂が固化する間、ベース基板２１と、蓋基板２２との平行度が保たれるように、蓋基板２２を吸着板で保持した。次いで、蓋基板２２とベース基板２１の凹部２１ａとの間に画成された隙間２５を覆うように、封止フィルム２４を蓋基板２２及びベース基板２１に取り付けた。この例では、封止フィルム２４を、次のようにして、ベース基板２１及び蓋基板２２に取り付けた。まず、封止フィルム２４のポリエチレンフィルム側表面が蓋基板２２と対向するように封止フィルム２４をベース基板２１及び蓋基板２２上に載置する。次いで、封止フィルム２４を加熱してポリエチレンフィルムを溶かすことにより、ベース基板２１及び蓋基板２２に封止フィルム２４を取り付けた。上記方法により、この例のホログラム記録媒体２０を作製した。
【００２８】
この例のホログラム記録媒体２０では、上述のように、ベース基板２１の凹部２１ａにホログラム記録層２３を形成し、そのホログラム記録層２３上にベース基板２１の凹部２１ａによりベース基板２１表面に画成された開口部の寸法より小さい寸法を有する蓋基板２２を設けたので、ホログラム記録層２３の蓋基板２２側は開放された状態となっている。それゆえ、外部環境に温度変化が生じてホログラム記録層２３が熱膨張または熱収縮しても、ホログラム記録層２３の表面はその厚さ方向に自由に移動する。それゆえ、この例のホログラム記録媒体２０では、ホログラム記録層２３に応力歪が発生しない。
【００２９】
また、ホログラム記録媒体２０が熱膨張または熱収縮した際、ホログラム記録層２３上には蓋基板２２が設けられているので、ホログラム記録層２３の表面は平行度が保たれた状態で蓋基板２２とともにその厚さ方向に移動する。それゆえ、この例のホログラム記録媒体では、再生光の波長をホログラム記録層２３の熱膨張量または熱収縮量（温度の変化量）に応じて変化させることにより容易に情報再生することができる。それゆえ、この例のホログラム記録媒体２０では、外部環境に温度変化が生じても、正確に情報の記録再生を行うことができる。
【００３０】
なお、この例のホログラム記録媒体２０の上面に設けられた封止フィルム２４は薄肉プラスチックフィルムをベース材料としているので、ホログラム記録層２３の厚み方向への曲げに強く、ホログラム記録層２３が熱膨張または熱収縮して蓋基板２２がその厚み方向に移動しても、その移動に耐え得ることができ、封止フィルム２４が破れることはない。それゆえ、この例のホログラム記録媒体では、外部環境に温度変化が生じてホログラム記録層２３がその厚さ方向に熱膨張または熱収縮しても、シール効果は保たれる。
【実施例２】
【００３１】
実施例２のホログラム記録媒体の概略構成を図３に示した。図３（ａ）は、ホログラム記録媒体の斜視図であり、図３（ｂ）は、図３（ａ）中のＢ−Ｂ’断面図である。この例のホログラム記録媒体３０では、図３に示すように、封止フィルム３４として、中央に開口部が形成されていないフィルム状シール部材を用いた。それ以外は、実施例１と同様の構造とした。それゆえ、この例のホログラム記録媒体においても、実施例１と同様の原理で、外部環境の温度変化によるホログラム記録層３３の応力歪を抑制することができるので、実施例１と同様の効果が得られる。
【００３２】
［変形例１］
変形例１のホログラム記録媒体の概略断面図を図４に示した。この例のホログラム記録媒体４０では、図４に示すように、ベース基板４１の凹部４１ａを画成する側壁と、ホログラム記録層４３の側面との間に応力吸収層４６を設けた。それ以外は、実施例１と同様の構造とした。
【００３３】
ホログラム記録層４３は、温度変化が生じると、その厚さ方向だけでなく層方向にも熱膨張または熱収縮する。応力吸収層４６は、ホログラム記録層４３の層方向への熱膨張または熱収縮に伴い生じるホログラム記録層の層方向にかかる応力を吸収するための層である。この例のように、応力吸収層４６をベース基板４１の凹部４１ａを画成する側壁と、ホログラム記録層４３の側面との間に設けた場合には、ホログラム記録層４３の層方向にかかる応力が緩和されるので、実施例１や２のホログラム記録媒体に比べて厚さ方向へのホログラム記録層４３の膨張量も小さくすることができる。それゆえ、この例のホログラム記録媒体４０では、外部環境に温度変化が生じても、ホログラム記録層４３の応力歪を一層抑制することができ、且つ、より正確に情報の記録再生を行うことができる。
【００３４】
応力吸収層４６の形成材料としては、応力を吸収する材料であれば任意の材料が用い得るが、特に多孔質の材料で形成されていることが好ましい。具体的には、ブタン等の発泡剤によって発泡形成されたポリスチレン形成品、軟質性ウレタンスポンジ等の多孔質材料が用い得る。
【００３５】
この例のホログラム記録媒体４０は、例えば、次のようにして作製することができる。まず、凹部４１ａが表面に形成されたベース基板４１を、実施例１と同様に射出成形法により作製する。次いで、厚さ１ｍｍ程度の発泡ポリスチレンを凹部４１ａ内壁に沿うように貼り付けて、応力吸収層４６を形成する。次いで、応力吸収層４６で囲まれた領域に感光性重合体を流し込む。次いで、実施例１と同様にして蓋基板４２を取り付けた後、感光性重合体を固化してホログラム記録層４３を形成する。そして、実施例１と同様にして、封止フィルム４４を取り付けることにより、この例のホログラム記録媒体４０を作製することができる。
【００３６】
［変形例２］
変形例２のホログラム記録媒体の概略断面図を図５に示した。この例のホログラム記録媒体５０では、図５に示すように、ホログラム記録層４３の側面に薄厚の枠５６を設け、その枠５６とベース基板５１の凹部５１ａを画成する側壁との間が非接触となるような構造にした。すなわち、ベース基板５１の凹部５１ａを画成する側壁とホログラム記録層５３の側面とが完全に非接触になるような構造とした。それ以外は、実施例１と同様の構造とした。
【００３７】
この例のように、ホログラム記録層４３の側面に薄厚の枠５６を設け、その枠５６とベース基板５１の凹部５１ａを画成する側壁と非接触とすることにより、変形例１と同様に、ホログラム記録層５３の層方向にかかる応力が緩和されるので、実施例１や２のホログラム記録媒体に比べて厚さ方向へのホログラム記録層の膨張量も小さくすることができる。それゆえ、この例のホログラム記録媒体５０では、外部環境に温度変化が生じても、ホログラム記録層５３の応力歪を一層抑制することができ、且つ、より正確に情報の記録再生を行うことができる。
【００３８】
枠５６の形成材料としては、ホログラム記録層５３の側壁となり得る材料であれば任意のものが用い得る。例えば、薄手のダンボール紙、厚紙等が用い得る。
【００３９】
この例のホログラム記録媒体５０は、例えば、次のようにして作製することができる。まず、ベース基板５１を実施例１と同様にして作製する。次いで、所定の厚さを有するスペーサー部材を凹部５１ａ内壁に沿わせて配置する。この際、スペーサー部材を凹部５１ａ内壁には接着させない。なお、スペーサー部材は、後述するように、最終的には、ホログラム記録媒体から取り外すものであるので、スペーサー部材としては、任意の材料が用い得、変形例１の応力吸収層４６のような多孔性材料を用いても良いし、それ以外の材料を用いても良い。次いで、薄厚の枠部材をスペーサー部材の内壁に沿わせて、枠５６を形成する。この際、枠５６はスペーサー部材に接着させない。次いで、枠５６で囲まれた領域に感光性重合体を流し込む。そして、実施例１と同様にして蓋基板５２を取り付けた後、感光性重合体を固化してホログラム記録層５３を形成する。次いで、スペーサー部材を取り除く、その後は、実施例１と同様にして封止フィルム５４を取り付けることによりこの例のホログラム記録媒体５０を作製することができる。
【００４０】
実施例１及び２では、四角形状のホログラム記録媒体について説明したが本発明はこれに限定されない。その形状は用途に応じて適宜変更可能であり、例えば、円形、楕円形、多角形等にしても良い。また、実施例１及び２では、ベース基板表面に形成された開口部が四角形状である例を説明したが、本発明はこれに限定されない。開口部の形状は用途に応じて適宜変更可能であり、例えば、円形、楕円形、多角形等にしても良い。
【００４１】
また、実施例１及び２では、蓋基板が四角形状である例を説明したが、本発明はこれに限定されない。蓋基板は、ホログラム記録層の記録エリアを覆う形状及びサイズであれば任意の形状で形成し得る。例えば、円形、楕円形、多角形等にしても良い。
【００４２】
実施例１及び２では、ベース基板の凹部を画成する側壁と底面とのなす角度が約９０°である例について説明したが、本発明はこれに限定されない。ベース基板の凹部を画成する側壁をテーパー状にしても良い。また、例えば、ベース基板の凹部を画成する側壁の表面に微小な孔等を設けて、ホログラム記録層の層方向の応力が該側壁で緩和されるような構造にしても良い。
【産業上の利用可能性】
【００４３】
本発明のホログラム記録媒体では、外部環境に温度変化が生じても、情報記録層に応力歪が発生せず、正確に情報の記録再生が可能になる。それゆえ、本発明のホログラム記録媒体は、あらゆる環境において使用可能な高記憶容量の記録メディアとして好適である。
【図面の簡単な説明】
【００４４】
【図１】図１は、従来のホログラム記録媒体の概略断面図である。
【図２】図２は、実施例１のホログラム記録媒体の概略構成図であり、図２（ａ）は斜視図であり、図２（ｂ）は図２（ａ）中のＡ−Ａ’断面図である。
【図３】図３は、実施例２のホログラム記録媒体の概略構成図であり、図３（ａ）は斜視図であり、図３（ｂ）は図２（ａ）中のＢ−Ｂ’断面図である。
【図４】図４は、変形例１のホログラム記録媒体の概略断面図である。
【図５】図５は、変形例２のホログラム記録媒体の概略断面図である。
【符号の説明】
【００４５】
２１，３１  ベース基板（第１基板）
２２，３２  蓋基板（第２基板）
２３，３３  ホログラム記録層（情報記録層）
２４，３４  シール部材
【図１】
2007163560.tif 000003
【図２】
2007163560.tif 000004
【図４】
2007163560.tif 000005
【図５】
2007163560.tif 000006
【図３】
2007163560.tif 000007